(57)【要約】【課題】放電の停止時における放電装置からの漏れ電流を制限し無駄な電力損失を抑えるようにする。【解決手段】キャパシタ蓄電電源用放電装置において、制御用電源回路５、６を有し放電を制御する制御回路２〜６と、キャパシタ蓄電電源１から制御用電源回路５、６に給電する給電回路を遮断する遮断回路ＴＲ４１と、遮断回路ＴＲ４１にバイアスを供給するバイアス供給回路４３と、放電動作状態か放電停止状態かを判定してバイアス供給回路４３を制御し放電停止状態のときにバイアスの供給をオフにする判定回路４２と、判定回路４２に高インピーダンス素子Ｒ４１、Ｒ４２を通して給電回路を接続する高インピーダンス回路４１とを備え、放電停止状態のときに流れる電流を高インピーダンス素子Ｒ４１、Ｒ４２により制限する。【選択図】図１
2007259614.tif 000002
【特許請求の範囲】
【請求項１】
電気二重層キャパシタに蓄電するキャパシタ蓄電電源から負荷に放電するキャパシタ蓄電電源用放電装置において、
制御用電源回路を有し前記放電を制御する制御回路と、
前記キャパシタ蓄電電源から前記制御用電源回路に給電する給電回路をオン／オフする遮断回路と、
前記遮断回路にバイアスを供給するバイアス供給回路と、
放電動作状態か放電停止状態かを判定して前記バイアス供給回路を制御し前記放電停止状態のときに前記バイアスの供給をオフにする判定回路と、
前記放電動作状態か放電停止状態かを判定して前記バイアス供給回路を制御する前記判定回路に高インピーダンス素子を通して前記給電回路を接続する高インピーダンス回路と
を備え、前記放電停止状態のときに流れる電流を前記高インピーダンス素子により制限するように構成したことを特徴とするキャパシタ蓄電電源用放電装置。
【請求項２】
前記バイアス供給回路は、定電流バイアスを供給する回路を構成していることを特徴とする請求項１記載のキャパシタ蓄電電源用放電装置。
【請求項３】
前記判定回路は、放電停止のスイッチの状態を判定するものであることを特徴とする請求項１記載のキャパシタ蓄電電源用放電装置。
【請求項４】
前記判定回路は、前記制御回路の放電を制御する信号の有無を判定するものであることを特徴とする請求項１記載のキャパシタ蓄電電源用放電装置。
【請求項５】
前記判定回路は、前記負荷側の電圧の有無を判定するものであることを特徴とする請求項１記載のキャパシタ蓄電電源用放電装置。
【請求項６】
前記制御用電源回路は、前記キャパシタ蓄電電源から給電される電圧を昇圧する昇圧回路と前記昇圧回路の出力電圧を安定化する電圧安定化回路とを有することを特徴とする請求項１記載のキャパシタ蓄電電源用放電装置。
【請求項７】
前記昇圧回路は、チョークコイルとスイッチ回路とを直列接続し、前記直列接続点から前記スイッチ回路のオン／オフに応じて昇圧した電圧を取り出すスイッチングコンバータからなり、前記スイッチ回路をオン／オフする昇圧モードと前記スイッチ回路をオフの状態に保持する非昇圧モードに切り換え可能に構成したことを特徴とする請求項６記載のキャパシタ蓄電電源用放電装置。
【請求項８】
前記スイッチングコンバータは、前記キャパシタ蓄電電源から給電される電圧が満充電電圧の２分の１の電圧以下であることを判定して前記昇圧モードへの切り換えが行われることを特徴とする請求項７記載のキャパシタ蓄電電源用放電装置。
【請求項９】
前記制御回路は、パルス幅変調信号により放電電流をオン／オフ制御する回路であることを特徴とする請求項１記載のキャパシタ蓄電電源用放電装置。
【発明の詳細な説明】
【技術分野】
【０００１】
本発明は、電気二重層キャパシタに蓄電するキャパシタ蓄電電源から負荷に放電するキャパシタ蓄電電源用放電装置に関する。
【背景技術】
【０００２】
複数の電気二重層キャパシタを直列接続して構成する高電圧大容量の蓄電電源装置において、蓄電電源の端子電圧は、キャパシタの蓄電量の平方根に比例して変動する。そこで、このような蓄電電源の放電装置では、変動の大きい端子電圧から制御用に安定した電源を確保するために安定化電源回路を備え、さらに変動の大きい端子電圧に効率よく追従させるためにＰＷＭ（Ｐulse  Ｗidth  Ｍodulation ：パルス幅変調）制御を用い、パルス幅を変化させて所望の充放電制御（例えば定電流制御ＣＣ、定電力制御ＣＰ、定電圧制御ＣＶの切り換え）を実現している。
【０００３】
また、メインスイッチ回路をオン／オフしてチョークコイルにエネルギーを蓄積して整流ダイオードを通して蓄積したエネルギーを放出するスイッチング電源装置において、低電圧の直流出力を得る場合に整流ダイオードによる損失の割合が大きくなる。そのため、メインスイッチ回路のオン／オフと逆位相でオフ／オンさせる同期整流回路（スイッチ回路）を整流ダイオードに代えて用いることにより、損失の低減を図っている。ＰＷＭ制御を行うキャパシタ蓄電電源の放電装置においても、このような同期整流回路を用いることで充放電効率の向上を図ることができる。
（例えば、非特許文献１、特許文献１参照）。
【非特許文献１】岡村廸夫著「電気二重層キャパシタと蓄電システム」日刊工業新聞社、２００５年９月３０日第３版第１刷発行、第１３５〜第１３７頁
【特許文献１】特開平７−８７６６８号公報
【発明の開示】
【発明が解決しようとする課題】
【０００４】
しかし、キャパシタ蓄電電源においては、効率よく充電しても充電を停止すると時間とともに漏れ電流の流れる回路から放電して蓄積されたエネルギーが急速に放出されてしまう。例えば放電装置は、放電制御を実行していないとき、キャパシタ蓄電電源に蓄電された電力を保持していなければならない。しかし、放電装置を接続したままキャパシタ蓄電電源を長時間放置しておくと、キャパシタ蓄電電源における各電気二重層キャパシタの蓄電電力が目減りしていくという問題が生じる。このような漏れ電流の流れる回路による電力損失は、放電装置において放電制御を行うための制御用電源回路から放出されるものが大きい。そのため、放電装置において、漏れ電流の抑制対策は重要である。
【０００５】
本発明は、上記課題を解決するものであって、放電の停止時における放電装置からの漏れ電流を制限し無駄な電力損失を抑えるようにすることである。
【課題を解決するための手段】
【０００６】
そのために本発明は、電気二重層キャパシタに蓄電するキャパシタ蓄電電源から負荷に放電するキャパシタ蓄電電源用放電装置において、制御用電源回路を有し前記放電を制御する制御回路と、前記キャパシタ蓄電電源から前記制御用電源回路に給電する給電回路をオン／オフする遮断回路と、前記遮断回路にバイアスを供給するバイアス供給回路と、放電動作状態か放電停止状態かを判定して前記バイアス供給回路を制御し前記放電停止状態のときに前記バイアスの供給をオフにする判定回路と、前記放電動作状態か放電停止状態かを判定して前記バイアス供給回路を制御する前記判定回路に高インピーダンス素子を通して前記給電回路を接続する高インピーダンス回路とを備え、前記放電停止状態のときに流れる電流を前記高インピーダンス素子により制限するように構成したことを特徴とする。
【０００７】
前記バイアス供給回路は、定電流バイアスを供給する回路を有し、前記制御回路は、パルス幅変調信号により放電電流をオン／オフ制御する回路であり、前記判定回路は、放電停止のスイッチの状態や、前記制御回路の放電を制御する信号の有無、前記負荷側の電圧の有無を判定するものであることを特徴とする。
【０００８】
前記制御用電源回路は、前記キャパシタ蓄電電源から給電される電圧を昇圧する昇圧回路と前記昇圧回路に接続され出力電圧を安定化する電圧安定化回路とを有し、前記昇圧回路は、チョークコイルとスイッチ回路とを直列接続し、前記直列接続点から前記スイッチ回路のオン／オフに応じて昇圧した電圧を取り出すスイッチングコンバータからなり、前記スイッチ回路をオン／オフする昇圧モードと前記スイッチ回路をオフの状態に保持する非昇圧モードに切り換え可能に構成し、前記スイッチングコンバータは、前記キャパシタ蓄電電源から給電される電圧が満充電電圧の２分の１の電圧以下であることを判定して前記昇圧モードへの切り換えが行われることを特徴とする。
【発明の効果】
【０００９】
本発明によれば、放電停止状態を判定して制御用電源回路の給電回路を遮断するので、放電装置を接続したままキャパシタ蓄電電源を長時間放置しておいても、放電制御を行うための制御用電源回路からの漏れ電流により、キャパシタ蓄電電源における各電気二重層キャパシタの蓄電電力が目減りしていくのを防ぐことができる。しかも、給電回路を遮断しているときの回路に流れる電流を、高インピーダンス素子を通して流れる電流のみに制限することにより放電停止状態において流れる漏れ電流を最小限に抑制することができる。したがって、放電装置の実効効率を上げ、放電装置における発熱も抑制することができる。
【発明を実施するための最良の形態】
【００１０】
以下、本発明の実施の形態を図面を参照しつつ説明する。図１は本発明に係るキャパシタ蓄電電源用放電装置の実施の形態を示す図、図２は漏れ電流遮断回路の実施の形態を示す図である。図中、１はキャパシタ蓄電電源、２はスイッチングコンバータ、３はＰＷＭ制御部、４は漏れ電流遮断回路、５は補助電源回路、６は主電源回路、７は昇圧動作制御回路、１１は電気二重層キャパシタ、４１は高インピーダンス回路、４２は判定回路、４３は遮断制御回路、４４は放電停止検出回路、５０は補助電源制御部、６０は主電源制御部、Ｃ５１はコンデンサ、Ｄ４１、Ｄ５１はダイオード、Ｌ５１はコイル、Ｒ４１〜Ｒ４３は抵抗、ＳＷ５１、ＳＷ６１はスイッチ回路、ＴＲ４１〜ＴＲ４４はトランジスタ、Ｖｃはキャパシタ電圧を示す。
【００１１】
図１に示す本実施形態に係るキャパシタ蓄電電源用放電装置は、キャパシタ蓄電電源１から負荷への放電をオン／オフするスイッチングコンバータ２と制御指令、キャパシタ電圧Ｖｃ、電流Ｉｃに基づきＰＷＭ（パルス幅変調）信号によりスイッチングコンバータ２をオン／オフ制御するＰＷＭ制御部３とその制御用電源回路として補助電源回路５、主電源回路６とを備えている。補助電源回路５は、キャパシタ蓄電電源１から給電されるキャパシタ電圧Ｖｃが大きく変動してもその変動幅を小さくする補助的な調整電源である。主電源回路６は、補助電源回路５により変動幅が所定範囲に調整された後に、例えば＋１２Ｖ、−１２Ｖに電圧を安定化してＰＷＭ制御部３に制御用電源を供給するものである。漏れ電流遮断回路４は、キャパシタ蓄電電源１から制御用電源回路である補助電源回路５への給電回路に直列に挿入接続して、放電停止時に給電回路を遮断することにより放電停止状態での制御用電源回路への漏れ電流を遮断するものである。昇圧動作制御回路７は、キャパシタ蓄電電源１から給電されるキャパシタ電圧Ｖｃが満充電電圧からその２分の１の電圧以下に低下したことを判定して、入力電圧が低電圧時に補助電源回路５を昇圧モードとして動作させるものである。
【００１２】
補助電源回路５は、給電回路にチョークコイルＬ５１とスイッチ回路ＳＷ５１とを直列接続し、その直列接続点からダイオードＤ５１を通してスイッチ回路ＳＷ５１のオン／オフに応じて昇圧した電圧を取り出す昇圧式のスイッチングコンバータを構成している。この補助電源回路５において、補助電源制御部５０が動作してＰＷＭ信号によりスイッチ回路ＳＷ５１をオン／オフ制御するときは昇圧モードの動作であり、補助電源回路５では、スイッチ回路ＳＷ５１のオンによりチョークコイルＬ５１にエネルギーを蓄え、その蓄えたエネルギーをスイッチ回路ＳＷ５１がオフの時に入力側の電圧に重畳して昇圧する。補助電源制御部５０が動作を停止してスイッチ回路ＳＷ５１がオフの状態のときは非昇圧モードとして、補助電源回路５の出力端子にはチョークコイルＬ５１とダイオードＤ５１を通して昇圧されることなく入力電圧、つまりキャパシタ電圧が出力される。
【００１３】
昇圧動作制御回路７は、この昇圧モード／非昇圧モードの切り換え制御を行うものであり、入力電圧、つまりキャパシタ電圧を判定して入力電圧が低電圧時に補助電源制御部５０を給電回路に接続する。具体的には、キャパシタ電圧Ｖｃが満充電電圧の２分の１より大きい時に、昇圧動作制御回路７によりキャパシタ蓄電電源１から補助電源制御部５０を切り離す。そのため、補助電源回路５は、補助電源制御部５のＰＷＭ制御が停止して非昇圧モード状態になる。そして、キャパシタ電圧Ｖｃが満充電電圧の２分の１以下になると、昇圧動作制御回路７によりキャパシタ蓄電電源１に補助電源制御部５０を接続する。その結果、補助電源回路５は、補助電源制御部５のＰＷＭ制御が動作して昇圧モード状態になる。
【００１４】
主電源回路６は、補助電源回路５の出力にトランスＴＲ６１の１次捲線とスイッチ回路ＳＷ６１との直列回路を接続し、主電源制御部６０によりトランスＴＲ６１の２次捲線側から整流平滑された定電圧の、例えば＋１２Ｖ、−１２Ｖが出力されるようにスイッチ回路ＳＷ６１をオン／オフ制御する、定電圧電源回路である。そのため主電源制御部６０は、入力電圧を検出してＰＷＭ信号によりスイッチ回路ＳＷ６１をオン／オフ制御する。このように主電源回路６の前に補助電源回路５をおき、入力電圧が低下しても補助電源回路５により倍電圧に昇圧して主電源回路６により定電圧にするので、制御用電源として、主電源回路６の調整範囲の２倍の電圧範囲で安定化することができる。
【００１５】
漏れ電流遮断回路４は、例えば図２に示すようなトランジスタＴＲ１、高インピーダンス回路４１、判定回路４２、バイアス供給回路４３、放電検出回路４４を備えるものである。トランジスタＴＲ１は、キャパシタ蓄電電源１から制御用電源回路の補助電源回路５に給電する給電回路にエミッタ・コレクタ回路を直列に挿入接続し、給電回路を遮断する遮断回路である。バイアス供給回路４３は、遮断回路を構成するトランジスタＴＲ１のベースにバイアスを供給するものである。判定回路４２は、放電検出回路４４の信号から放電動作状態か放電停止状態かを判定してバイアス供給回路４３を制御し放電停止状態のときにトランジスタＴＲ１のベースに供給するバイアスをオフにするものである。高インピーダンス回路４１は、放電動作状態か放電停止状態かを判定してバイアス供給回路４３を制御する判定回路に１ＭΩクラス（メガオーダ）の抵抗Ｒ４１、Ｒ４２からなる高インピーダンス素子を通して給電回路を接続するものである。判定回路４２の判定する放電検出回路４４の信号は、例えば放電停止でオフとなる外部スイッチの接点信号である。
【００１６】
放電停止でオフとなる外部スイッチの接点信号を判定する判定回路４２においてＮＰＮトランジスタＴＲ４２は、放電動作状態のときベース・エミッタ間が短絡されるので、オフ（非導通）になり、放電停止状態になると抵抗Ｒ４１を通してベース電流が供給されてオン（導通）になる。トランジスタＴＲ４２がオフになるとトランジスタＴＲ４４がオンになってＰＮＰトランジスタＴＲ４１がオンになるので、キャパシタ蓄電電源１と補助電源回路５との給電回路が接続される。トランジスタＴＲ４２がオンになるとトランジスタＴＲ４４がオフになってトランジスタＴＲ４１がオフになるので、キャパシタ蓄電電源１と補助電源回路５との給電回路が遮断される。
【００１７】
放電検出回路４４の外部スイッチがオフになってトランジスタＴＲ４２のみがオン、トランジスタＴＲ４１、ＴＲ４３、ＴＲ４がオフになっている放電停止状態では、キャパシタ蓄電電源１から高インピーダンス回路４１の抵抗Ｒ４１、Ｒ４２を通してトランジスタＴＲ４２にベース電流、コレクタ電流が流れるだけになる。このような回路により、放電停止状態のとき１ＭΩクラス（メガオーダ）の抵抗Ｒ４１、Ｒ４２からなる高インピーダンス素子を通して流れる電流のみに制限するように構成している。
【００１８】
大きな値の抵抗を使うとノイズを拾いやすくなるなどの理由から一般によく使われる抵抗はせいぜい数１００ｋΩまでであるが、本実施形態は、さらにこの通常より大きい１ＭΩクラス（メガオーダ）の抵抗Ｒ４１、Ｒ４２を高インピーダンス回路４１に使うことにより、放電停止状態での漏れ電流による電力損失を大幅に抑制するものである。このことにより、放電停止状態での漏れ電流を最小限に抑制し、電力損失を最小化するとともに回路での発熱も最小化している。また、遮断制御回路４３においてＮＰＮトランジスタＴＲ４４のエミッタに抵抗Ｒ４３を接続し、抵抗Ｒ４３に並列にベース・エミッタ回路を接続してそのコレクタ端子をＮＰＮトランジスタＴＲ４４のベースに接続したＮＰＮトランジスタＴＲ４３からなる回路は、抵抗Ｒ４３の電圧降下を一定にする定電流回路を構成している。したがって、キャパシタ電圧が大きく変動してもトランジスタＴＲ４４のコレクタ電流が一定になり、トランジスタＴＲ４１に定電流バイアスが供給される。
【００１９】
図３は本発明に係る漏れ電流遮断回路の他の実施の形態を示す図、図４は本発明に係る昇圧動作制御回路の実施の形態を示す図であり、Ｃ４１、Ｃ７１はコンデンサ、Ｄ４２はダイオード、Ｒ４４、Ｒ４５、Ｒ７１〜７４は抵抗、ＴＲ４５、ＴＲ７１〜ＴＲ７３はトランジスタ、ＺＤ７１は定電圧ダイオードを示す。図２に示す漏れ電流遮断回路の実施形態では、放電検出回路４４から放電停止でオフとなる外部スイッチの接点信号を判定回路４２におけるトランジスタＴＲ４２のベースに接続したが、スイッチングコンバータ２の出力側の電圧やＰＷＭ制御部３から出力されるＰＷＭ信号を漏れ電流遮断回路の判定回路に接続する実施の形態を示したのが図３である。
【００２０】
図３に示す実施の形態は、図２に示す放電検出回路４４に代えて、ダイオードＤ４２、抵抗Ｒ４４、Ｒ４５、コンデンサＣ４１、トランジスタＴＲ４５からなる回路を用い、放電検出信号のレベルをトランジスタＴＲ４５で判定して、トランジスタＴＲ４５のオン／オフ判定に応じて、トランジスタＴＲ４２をオフ／オンさせるように構成したものである。このようにスイッチングコンバータ２の出力側の電圧やＰＷＭ制御部３から出力されるＰＷＭ信号を放電検出信号としてダイオードＤ４２、抵抗Ｒ４４、Ｒ４５の直列回路に入力した場合、トランジスタＴＲ４５は、放電検出信号のレベルが高い放電動作中にオン（導通）し、放電停止で放電検出信号のレベルがトランジスタＴＲ４５のベース・エミッタ電圧より低下するとオフ（非導通）になる。
【００２１】
トランジスタＴＲ４２は、そのベース・エミッタ回路にトランジスタＴＲ４５のコレクタ・エミッタ回路が接続されているので、トランジスタＴＲ４５のオンでトランジスタＴＲ４２がオフになり、トランジスタＴＲ４５のオフでトランジスタＴＲ４２がオンになる。なお、この実施形態を採用した場合の放電停止状態から放電動作開始への遷移は、例えば放電開始等の起動回路によるトリガによりスイッチングコンバータ２、ＰＷＭ制御部３を動作させ、放電検出信号のレベルが高くなるようにすることにより、トランジスタＴＲ４５をオフからオンに切り換えることができる。
【００２２】
昇圧動作制御回路７は、例えば図４に示すように給電回路からトランジスタＴＲ７１を通して補助電源回路５の補助電源制御部５０に接続し、トランジスタＴＲ７１をオンにして補助電源回路５の昇圧モードで動作させ、トランジスタＴＲ７１をオフにして給電回路から補助電源制御部５０を切り離して昇圧モードを停止させるものである。昇圧動作制御回路７では、入力電圧、つまりキャパシタ電圧を抵抗Ｒ７１と定電圧ダイオードＺＤ７１の直列回路に加え、その直列接続点をＰＮＰトランジスタＴＲ７２のベースに接続してキャパシタ電圧が満充電電圧の２分の１以下か否かを判定する。トランジスタＴＲ７２は、定電圧ダイオードＺＤ７１により設定される基準値、この場合、満充電電圧の２分の１に対してキャパシタ電圧が大きい場合にはオン（導通）になり、満充電電圧の２分の１以下の場合にはオフ（非導通）になる。トランジスタＴＲ７２のコレクタ出力はＮＰＮトランジスタＴＲ７３のベースに接続され、そしてトランジスタＴＲ７３のコレクタ出力はＮＰＮトランジスタＴＲ７４のベースに接続され、さらにトランジスタＴＲ７４のコレクタ出力はトランジスタＴＲ７１のベースに接続される。この回路によれば、トランジスタＴＲ７２がオンになるとトランジスタＴＲ７３がオンになり、トランジスタＴＲ７３がオンになるとトランジスタＴＲ７４、トランジスタＴＲ７１がオフになる。したがって、キャパシタ電圧が満充電電圧の２分の１より大きい場合にはトランジスタＴＲ７１がオフになるので、補助電源制御部５０は、給電回路から切り離されて昇圧モードの動作は停止するが、キャパシタ電圧が満充電電圧の２分の１以下になるとトランジスタＴＲ７１がオンになるので、補助電源制御部５０は、給電回路と接続されて昇圧モードが動作し、補助電源回路５からキャパシタ電圧を昇圧して主電源回路６に出力される。
【００２３】
図５は本発明に係るキャパシタ蓄電電源用放電装置の他の実施の形態を示す図であり、８は放電装置、９は負荷、８０は漏れ電流遮断回路、８１はＰＷＭ制御部、Ｃ２１、Ｃ２２はコンデンサ、Ｌ２１はコイル、Ｒは電流検出用抵抗、ＳＷ２１はスイッチ回路、ＳＷ２２は同期整流回路、ＴＳ８１〜ＴＳ８３は信号遮断スイッチを示す。
【００２４】
図５に示す放電装置は、キャパシタ蓄電電源１と負荷９との間に放電制御用のスイッチ回路ＳＷ２１とチョークコイルＬ２１を直列に接続し、これらの直列接続点に並列に同期整流回路ＳＷ２２を接続するとともに、入力側及び出力側に並列にコンデンサＣ２１、Ｃ２２を接続して、ＰＷＭ信号によりスイッチ回路ＳＷ２１をオン／オフすると共に、それと逆位相で同期整流回路ＳＷ２２をオフ／オンして放電電流（負荷電流）を負荷９に供給する降圧タイプのスイッチングコンバータを備え、放電電流Ｉｄを検出するため電流検出用抵抗Ｒを直列に挿入接続している。
【００２５】
漏れ電流遮断回路８０は、負荷電圧Ｖｌを検出することにより、放電動作状態か放電停止状態かを判定し、放電停止状態であると判定した場合に信号遮断回路を動作させ、放電電流やキャパシタ電圧、負荷電圧を検出しているＰＷＭ制御部８１の信号を遮断する。つまり、放電を行うメインスイッチ回路ＳＷ２１のオフ状態か、放電停止状態を負荷電圧Ｖｌが出力されているか、所定の電圧があるか否かにより判定し、負荷電圧Ｖｌが出力されず放電停止状態のとき、ＰＷＭ制御部８１の信号線を遮断するのである。信号線は、ＰＷＭ制御部８１よりキャパシタ蓄電電源１の放電を行う回路に接続され、例えば入力端子側に接続してキャパシタ蓄電電源１の充電電圧Ｖｃを検出する信号線、出力端子側に接続して負荷電圧Ｖｌを検出する信号線、電流検出用抵抗Ｒの両端に接続して充電電流Ｉを検出する信号線であり、それら信号線に信号遮断スイッチＴＳ８１〜ＴＳ８３をその信号を遮断する信号遮断回路として直列に挿入して接続している。
【００２６】
なお、本発明は、上記実施の形態に限定されるものではなく、種々の変形が可能である。例えば上記実施の形態における同期整流回路ＳＷ２２はダイオード（フライホィールダイオード）に変えてもよい。また、放電時の電流を検出する検出素子（電流検出用抵抗Ｒ）を共通線に接続しても、共通線に対し反対側の線に接続してもよい。
【図面の簡単な説明】
【００２７】
【図１】本発明に係るキャパシタ蓄電電源用放電装置の実施の形態を示す図である。
【図２】漏れ電流遮断回路の実施の形態を示す図である。
【図３】本発明に係る漏れ電流遮断回路の他の実施の形態を示す図である。
【図４】本発明に係る昇圧動作制御回路の実施の形態を示す図である。
【図５】本発明に係るキャパシタ蓄電電源用放電装置の他の実施の形態を示す図である。
【符号の説明】
【００２８】
１…キャパシタ蓄電電源、２…スイッチングコンバータ、３…ＰＷＭ制御部、４…漏れ電流遮断回路、５…補助電源回路、６…主電源回路、７…昇圧動作制御回路、１１…電気二重層キャパシタ、４１…高インピーダンス回路、４２…判定回路、４３…遮断制御回路、４４…放電停止検出回路、５０…補助電源制御部、６０…主電源制御部、Ｃ５１…コンデンサ、Ｄ４１、Ｄ５１…ダイオード、Ｌ５１…コイル、Ｒ４１〜Ｒ４３…抵抗、ＳＷ５１、ＳＷ６１…スイッチ回路、ＴＲ４１〜ＴＲ４４…トランジスタ、Ｖｃ…キャパシタ電圧
【図１】
2007259614.tif 000003
【図２】
2007259614.tif 000004
【図３】
2007259614.tif 000005
【図４】
2007259614.tif 000006
【図５】
2007259614.tif 000007